(57)【要約】【課題】  迅速な刈り取りが行えながら、雑草、雑木類が回転カッターに絡み難くなる刈払い機用回転カッターを得る。【解決手段】円板状の台金（２）の外周部に、半径方向外方に突出する刃台（３）と半径方向内方に凹む凹部（６）とを円周方向に交互に設けるとともに、各刃台（３）の回転面側に刃（４，５）を設け、前記各凹部（６）の底面（６ａ）の半径方向の位置を前記各刃（４，５）の基端（Ｇ）の半径方向の位置と略同位置にする。また、前記各刃（４，５）の横すくい角（Ｂ１）を互いに反対向きにするとともに、該横すくい角（Ｂ１）を３０度〜５０度とする。【選択図】        図２
2006288268.tif 000002
【特許請求の範囲】
【請求項１】
円板状の台金（２）の外周部に、半径方向外方に突出する刃台（３）と半径方向内方に凹む凹部（６）とを円周方向に交互に設けるとともに、各刃台（３）の回転面側に刃（４，５）を設け、前記各凹部（６）の底面（６ａ）の半径方向の位置を前記各刃（４，５）の基端（Ｇ）の半径方向の位置と略同位置にしたことを特徴とする刈払い機用回転カッター。
【請求項２】
円周方向に隣接する各刃（４，５）のすくい面（４ａ，５ａ）の横すくい角（Ｂ１）を互いに反対向きにするとともに、該横すくい角（Ｂ１）は３０度〜５０度としたことを特徴とする請求項１記載の刈払い機用回転カッター。
【請求項３】
各刃（４−１，５−１）のすくい面（４ａ−２，５ａ−２）を正角にするとともに、該すくい面（４ａ−２，５ａ−２）の先端部に負角の先端すくい面（４ａ−１，５ａ−１）を設けてなることを特徴とする請求項１又は２記載の刈払い機用回転カッター。
【請求項４】
各刃（４−２，５−２）のすくい面（４ａ−３，５ａ−３）を負角としたことを特徴とする請求項１〜３いずれか１項に記載の刈払い機用回転カッター。
【発明の詳細な説明】
【技術分野】
【０００１】
本発明は、雑草、雑木類を刈り取る刈払い機に関し、特にその回転カッターに関するものである。
【背景技術】
【０００２】
雑草、雑木類等の刈払い機として、携帯用のエンジン付き刈払い機がある。該刈払い機は、エンジンを有する本体側で肩にベルト掛けし、竿に設けたハンドルを操作しながら該竿の先端部に設けた回転カッターで雑草、雑木類を刈り取るようになっている。このため、回転カッターに雑草が絡まったり、回転カッターの切断性能が低下したりすると、疲労が増して長時間の刈り取り作業ができなくなる。
【０００３】
ところで、従来における刈払い機の回転カッターは、円板状の台金の外周部に半径方向外方に突出する山形の刃台と半径方向内方に凹む滑らかな円弧状の凹部とを円周方向に交互に形成し、各刃台の頂部にチップの基部を嵌合させてロウ付け固定し、各刃台の頂部から突出したチップの先端部に切刃を形成するようになっていた。
【０００４】
このものは、雑草、雑木類が凹部に浸入（嵌合）すると、これらが凹部の後部側立ち上がり面に引っ掛かって回転カッターに絡み易く、作業の途中で回転カッターを停止させて絡まった雑草、雑木類を除去する、という除去作業が再三発生するものであった。また、切刃がチップ先端部に形成されていたため、１刃当たりの切断量が少なく、迅速な刈り取りができないものであった。
【特許文献１】特開平８−１９６１２８号公報
【発明の開示】
【発明が解決しようとする課題】
【０００５】
本発明は、迅速な刈り取りが行えながら、雑草、雑木類が回転カッターに絡み難くなる新規な刈払い機用回転カッターを得ることを目的とする。
【課題を解決するための手段】
【０００６】
本発明は、前記目的を達成するために以下の如く構成したものである。即ち、請求項１に係る発明は、円板状の台金の外周部に、半径方向外方に突出する刃台と半径方向内方に凹む凹部とを円周方向に交互に設けるとともに、各刃台の回転面側に刃を設け、前記各凹部の底面の半径方向の位置を前記各刃の基端の半径方向の位置と略同位置にする構成にしたものである。
請求項２に係る発明は、円周方向に隣接する各刃のすくい面の横すくい角を互いに反対向きにするとともに、該横すくい角は３０度〜５０度としたものである。
請求項３に係る発明は、前記各刃のすくい面の先端部に負角の先端すくい面を設けるようにしたものである。
請求項４に係る発明は、前記各刃の設けるすくい面を負角のすくい面としたものである。
【発明の効果】
【０００７】
本発明の請求項１に係る発明は、各刃間に形成した凹部の底面（刃底）が各刃の基端と略同位置になっているので、各凹部に嵌入した雑草、雑木類等の被刈取り物は後続側の刃に直接衝突することになる。これにより、凹部に嵌入した被刈取り物は後続側の刃によって円滑に切断され、刃部に絡まらなくなる。また、各刃を刃台の回転面側に設けるようにしたので、切刃を該各刃の全長に渡って形成することができ、１刃当たりの切断量が増大して迅速な刈り取りが行えることになる。
請求項２に係る発明発、円周方向に隣接する各刃のすくい面の横すくい角を互いに反対向きにするとともに、該横すくい角を３０度〜５０度としたので、側面切刃が尖鋭となり、被刈取り物の切断抵抗が小さくなるとともに、該切断抵抗による上下方向の分力が略均等となって回転カッターが上下に振れなくなる。
請求項３に係る発明は、前記各刃のすくい面の先端部に負角の先端すくい面を設けたので、刃先部の強度が増し、小石等の障害物に対し刃欠け等が発生し難くなる。
請求項４に係る発明は、前記各刃に設けるすくい面を負角のすくい面としたので、切断時に半径方向外方の分力が発生し、凹部に嵌入した被刈取り物を半径方向外方に移動させながら切断することになり、被刈取り物が刃部に絡み難くなる。
【発明を実施するための最良の形態】
【０００８】
以下本発明の実施例を図面に基いて説明する。図面において、図１は本発明の第１実施例を示す回転カッターの部分側面図、図２は図１の要部拡大側面図、図３は図２の平面図、図４は図２のIV-IV断面図、図５は図２のV-V断面図、図６は本発明の第２実施例を示す回転カッターの部分側面図、図７は図６の平面図、図８は図６のVIII-VIII断面図、図９は本発明の第３実施例を示す回転カッターの部分側面図である。
【０００９】
図１〜図５において、１は刈払い機用回転カッターであり、本例では外径が約２３０ｍｍ、厚さＴ２が約１．３ｍｍとなる円板状の台金２の外周に半径方向外方に突出する３２個の刃台３を円周方向に等ピッチあるいは不等ピッチで形成するとともに、各刃台３間に半径方向内方に凹む凹部６を形成し、各刃台３の回転面側に超硬合金製の第１刃４及び第２刃５を円周方向に交互にロウ付け固着する。
【００１０】
前記各第１刃４及び第２刃５は、図２に示すように、側面切刃４ｄ，５ｄのすくい角Ａ１を約５度の正角、逃げ面４ｂの先端逃げ角Ｃ１を約５度とし、また、図３に示すように、すくい面４ａの横すくい角Ｂ１を互いに反対向きにするとともに、その角度Ｂ１は共に３０度〜５０度、好ましくは約４５度にして回転方向（進行側）の側面切刃４ｄ，５ｄを尖鋭にする。
【００１１】
また、図４、図５に示すように、前記各第１刃４及び第２刃５の先端傾き角Ｄ１は互いに反対向きにするとともに、その角度Ｄ１を共に約１５度にして先端切刃４ｅ，５ｅを交互に傾斜させる。また、各第１刃４及び第２刃５の側面向心角Ｅ１は共に約１．５度、各第１刃４及び第２刃５の刃厚Ｔ１は約２ｍｍとする。
【００１２】
前記各凹部６の底面６ａは、図２に示すように、浅い円弧状にするとともに、その後端（図２おいて右端）は第１刃４（第２刃５）の前面側の基端Ｇに位置させ、その前端は刃台３の後面に滑らかに接続する。さらに、前記底面６ａの基端Ｇに接する角度、即ち、底面６ａが前記基端Ｇ点において、基端Ｇ点の回転円Ｇ１の接線Ｘに対する角度Ｎ１（Ｎ２）は６０度以下、本例では約３４度（角度Ｎ１）とし、かつ、前記底面６ａの深さ、即ち、前記回転円Ｇ１に対する底面６ａの最深部６ｂの深さＭ１（Ｍ２）は２ｍｍ以下、本例では約０．７２ｍｍ（深さＭ１）としている。
【００１３】
なお、前記底面６ａは、図２の一点鎖線６ａ−１で示すように、前記基端Ｇから接線Ｘに沿って前方（図２において左方）に延出させた後、刃台３の後面に滑らかに接続するようにしてもよい。図２において、二点鎖線６ａ−２は、前記底面６ａの基端Ｇに接する角度Ｎ２が約６０度、底面６ａの深さＭ２が約２ｍｍとなる底面を示す。
【００１４】
前記実施例によれば、各第１、第２刃４，５間に形成した凹部６の底面６ａ（刃底）の後端が、各刃４，５の基端Ｇに接近しているので、各凹部６に嵌入した雑草、雑木類等の被刈取り物が後続側の刃４，５に直接衝突することになる。この場合、前記第１、第２刃４，５のすくい面４ａ，５ａの横すくい角Ｂ１を互いに反対向きにするとともに、該すくい角Ｂ１を約４５度としたので、側面切刃４ｄ，５ｄが尖鋭となって前記凹部６に嵌入した被刈取り物を円滑に切断することになり、前記被刈取り物が各刃４，５部に絡まらなくなる。しかも、切断抵抗による上下方向の分力が略均等となって回転カッター１が上下に振れなくなる。さらに、前記第１、第２刃４，５を刃台３の回転面側に設け、側面切刃４ｄ，５ｄを第１、第２刃４，５の半径方向全長に渡って形成したので、絡まった大きな草も有効に切断されることになる。
【００１５】
図６〜図８は第２実施例を示す。図６において、２は回転カッターの台金、３は刃台、６は各刃台３間に形成した凹部６であり、これらは前述した第１実施例と略同様の構造となっている。前記各刃台３の回転面側に超硬合金製の第１刃４−１及び第２刃５−１を円周方向に交互にロウ付け固着し、各第１刃４−１及び各第２刃５−１の前面側の基端Ｇは前述と同様に前記凹部６の底面６ａの後端に位置させる。
【００１６】
前記各第１、第２刃４−１，５−１のすくい面４ａ，５ａは、先端側の第１すくい面、つまり先端すくい面４ａ−１，５ａ−１を負角のすくい角Ａ２に、基部側の第２すくい面４ａ−２，５ａ−２を正角のすくい角Ａ１とし、本例では、前記先端すくい面４ａ−１，５ａ−１のすくい角Ａ２を約２５度、前記第２すくい面４ａ−２，５ａ−２のすくい角Ａ１を約５度とする。その他は前述した第１実施例と略同様の構造とする。
【００１７】
前記第２実施例によれば、各刃４−１，５−１の先端部に負角の先端すくい面４ａ−１，５ａ−１を設けたので、各側面切刃４ｄ−１，５ｄ−１の先端部の肉圧が増大して強度が高くなり、小石等の障害物に対し刃欠け等が発生し難くなる。
【００１８】
図９は第３実施例を示す。図９において、２は回転カッターの台金、３は刃台、６は各刃台３間に形成した凹部６であり、これらは前述した第１実施例と略同様の構造となっている。前記各刃台３の回転面側に超硬合金製の第１刃４−２及び第２刃５−２を円周方向に交互にロウ付け固着し、各第１刃４−２及び各第２刃５−２の前面側の基端Ｇは前述と同様に前記凹部６の底面６ａの後端に位置させる。
【００１９】
前記各第１、第２刃４−２，５−２のすくい面４ａ−３，５ａ−３は負角のすくい角Ａ３とし、本例では、該すくい角Ａ３を約１０度の負角とする。その他は前述した第１実施例と略同様の構造とする。
【００２０】
前記第３実施例によれば、各刃４−２，５−２を負角のすくい面４ａ−３，５ａ−３としたので、被刈取り物を切断する際に、各刃４−２，５−２の側面切刃４ｄ−３，５ｄ−３に半径方向外方の分力が発生し、凹部６に嵌入した被刈取り物を半径方向外方に移動させながら切断することになる。このため、前記被刈取り物が各刃４−２，５−２部に絡み難くなる。
【図面の簡単な説明】
【００２１】
【図１】本発明の第１実施例を示す回転カッターの部分側面図である。
【図２】図１の要部拡大側面図である。
【図３】図２の平面図である。
【図４】図２のIV-IV断面図である。
【図５】図２のV-V断面図である。
【図６】本発明の第２実施例を示す回転カッターの部分側面図である。
【図７】図６の平面図である。
【図８】図６のVIII-VIII断面図である。
【図９】本発明の第３実施例を示す回転カッターの部分側面図である。
【符号の説明】
【００２２】
１    刈払い機用回転カッター
２    台金
３    刃台
４（４−１，４−２）    第１刃
４ａ  すくい面
４ａ−１  先端すくい面（第１すくい面）
４ａ−２  第２すくい面
４ｂ      逃げ面
４ｄ（４ｄ−１，４ｄ−３）  側面切刃
４ｅ（４ｅ−１）  先端切刃
５（５−１，５−２）    第２刃
５ａ      すくい面
５ａ−１  先端すくい面（第１すくい面）
５ａ−２  第２すくい面
５ｂ      逃げ面
５ｄ（５ｄ−１，５ｄ−３）  側面切刃
５ｅ      先端切刃
Ａ１（Ａ２，Ａ３）    すくい角
Ｂ１    横すくい角
Ｄ１    先端傾き角
Ｓ１    側面逃げ角
Ｅ１    側面向心角
Ｇ      第１刃、第２刃の基端
Ｇ１    基端の回転円
Ｘ      基端回転円の接線
【図１】
2006288268.tif 000003
【図２】
2006288268.tif 000004
【図３】
2006288268.tif 000005
【図４】
2006288268.tif 000006
【図５】
2006288268.tif 000007
【図６】
2006288268.tif 000008
【図７】
2006288268.tif 000009
【図８】
2006288268.tif 000010
【図９】
2006288268.tif 000011